(57)【特許請求の範囲】
【請求項１】
空気を清浄化する空気清浄化装置において、
底部に開口を有するラッパ状体と前記底部の開口に接続する円筒状体とからなると共に表面に二酸化チタン又は／及び酸化亜鉛を蒸着した風洞部と、
前記風洞部のラッパ状体の前方軸近傍に配置した針状電極と、
前記風洞部に形成した環状電極と、
少なくとも前記針状電極と前記環状電極の近傍に配置した二酸化チタン又は／及び酸化亜鉛を蒸着したプレートと
を備え、前記針状電極と前記環状電極との間に高電圧印加部により高電圧を印加してコロナ放電させ空気を清浄化することを特徴とする空気清浄化装置。
【請求項２】
前記風洞部は、ラッパ状体全体又はその一部を前記環状電極とし、前記針状電極は、前記風洞部の軸上又はその近傍に複数本配置したことを特徴とする請求項１記載の空気清浄化装置。
【請求項３】
前記ラッパ状体と反対側の前記円筒状体開口に絶縁筒を介して二酸化チタン又は／及び酸化亜鉛を蒸着した棒を配置したことを特徴とする請求項１記載の空気清浄化装置。
【請求項４】
ハウジングに前記針状電極、環状電極、風洞部、二酸化チタン又は／及び酸化亜鉛を蒸着したプレートを収容し、該ハウジングの前記針状電極側を吸気部、前記風洞部の円筒状体側を排気部として前記吸気部近傍に二酸化チタン又は／及び酸化亜鉛を蒸着したプレートを取り付けたことを特徴とする請求項１記載の空気清浄化装置。
【請求項５】
前記ハウジングは、空調ダクトの一部であることを特徴とする請求項４記載の空気清浄化装置。
【請求項６】
前記ハウジングは、内壁面に銅、ニッケル、リンのアモルファス金属と酸化アルミセラミックのパウダーを塗布したことを特徴とする請求項４記載の空気清浄化装置。
【請求項７】
底部に開口を有するラッパ状体と前記底部の開口に接続する円筒状体とからなる風洞部と、前記風洞部のラッパ状体の前方軸近傍に配置した針状電極と、前記風洞部に形成した環状電極と、二酸化チタン又は／及び酸化亜鉛を蒸着したパネルとを備え、前記針状電極と前記環状電極との間に高電圧印加部により高電圧を印加してコロナ放電させてマイナスイオンとオゾンの微風を発生させると共に、前記二酸化チタン又は／及び酸化亜鉛の光触媒作用を利用して、空気の清浄化を行うことを特徴とする空気清浄化方法。
【発明の詳細な説明】
【０００１】
【発明の属する技術分野】
本発明は、コロナ放電によりイオン・オゾン風を発生させ空気を清浄化する空気清浄化装置及び空気清浄化方法に関する。
【０００２】
【従来の技術】
電極間に高電圧を印加してコロナ放電させることによりイオン・オゾン風を発生させるオゾン発生器が提案されている（実公平８−９１３７号公報）。このオゾン発生器では、筒状電極と針状電極とを用いて、筒状電極の一方の開口部の外側に一定の間隔を持って略中心に針状電極を配置し、高電圧を印加することによりイオン・オゾンを発生させると共に筒状電極の他方の開口部から外方に向かって流出するイオン・オゾンを含む風を発生させている。このように上記オゾン発生器では、オゾン風を発生させるので、電動ファンを省くことができ、省エネを図ることができる。さらに、このオゾン発生器は、微細なチリやホコリを電極にて集塵するものでもある。
【０００３】
【発明が解決しようとする課題】
しかし、上記従来のオゾン発生器には、実際に種々の問題を有している。例えば上記従来のオゾン発生器で発生するオゾン風は僅かであり、十分な風を発生させることは難しい。また、オゾンの量が多いのは環境上であまり好ましいことではなく、発生したオゾンの量を低減させることができない。しかも、十分な脱臭効果が得られず、オゾン臭や室内の強い臭いを消すために、香料を用いなければならない。さらに、微細なチリやホコリを電極にて集塵するため、電極の掃除が必要となるが、電極には高電圧を印加しているため、取り扱いに十分な注意が必要となる。
【０００４】
【課題を解決するための手段】
本発明は、上記課題を解決するものであって、オゾンの発生を制御し、脱臭、殺菌、除菌、防カビを行い、オゾン障害の軽減を図るものである。
【０００５】
そのために本発明は、空気を清浄化する空気清浄化装置及び方法において、底部に開口を有するラッパ状体と前記底部の開口に接続する円筒状体とからなると共に表面に二酸化チタン又は／及び酸化亜鉛を蒸着した風洞部と、前記風洞部のラッパ状体の前方軸近傍に配置した針状電極と、前記風洞部に形成した環状電極と、少なくとも前記針状電極と前記環状電極の近傍に配置した二酸化チタン又は／及び酸化亜鉛を蒸着したプレートとを備え、前記針状電極と前記環状電極との間に高電圧印加部により高電圧を印加してコロナ放電させ空気を清浄化することを特徴とするものである。
【０００６】
また、前記風洞部は、ラッパ状体全体又はその一部を前記環状電極とし、前記針状電極は、前記風洞部の軸上又はその近傍に複数本配置し、前記ラッパ状体と反対側の前記円筒状体開口に絶縁筒を介して二酸化チタン又は／及び酸化亜鉛を蒸着した棒を配置したことを特徴とし、ハウジングに前記針状電極、環状電極、風洞部、二酸化チタン又は／及び酸化亜鉛を蒸着したプレートを収容し、該ハウジングの前記針状電極側を吸気部、前記風洞部の円筒状体側を排気部として前記吸気部近傍に二酸化チタン又は／及び酸化亜鉛を蒸着したプレートを取り付け、前記ハウジングは、空調ダクトの一部であり、内壁面に銅、ニッケル、リンのアモルファス金属と酸化アルミセラミックのパウダーを塗布したことを特徴とするものである。
【０００７】
【発明の実施の形態】
以下、本発明の実施の形態を図面を参照しつつ説明する。
図１は本発明に係る空気清浄化装置の実施の形態を示す図、図２は空気清浄化装置本体の電極部を示す図、図３は空気清浄化装置を排気部側から見た外観図である。図中、１はハウジング、２、８は二酸化チタン蒸着プレート、３は針状電極、４はラッパ状体、５は円筒状体、６は絶縁筒、７は二酸化チタン蒸着棒、１１は取り付けベース、１２、１３は支持部材、１４は排気部、１５、１６は吸気部を示す。
【０００８】
図１において、ハウジング１は、例えば鋼板やプラスチックその他の合成樹脂などを用いた収容ケースであり、底面を壁面や天井面の取り付け面とし、あるいは机上等に載置する面とし、一方側の横部に排気部１４を、上面の他方側に吸気部１５或いは１６、排気部１４と反対側に吸気部（図示省略）を有している。そして、吸気部１５、１６の近傍に二酸化チタン蒸着プレート２を取り付けている。ハウジング１の内部には、取り付けベース１１を有し、その取り付けベース１１の上に空気清浄化装置本体を取り付けると共に、二酸化チタン蒸着プレート８を取り付けている。
【０００９】
支持部材１２は、取り付けベース１１の上に針状電極３を支持し、支持部材１３は、取り付けベース１１の上にラッパ状体４、円筒状体５、例えばテフロン製の絶縁筒６からなる風洞部を支持するものであり、針状電極３を吸気部１５、１６の方に、絶縁筒６を排気部１４の方に対向させている。
【００１０】
空気清浄化装置本体は、図２に示すように１乃至複数本の針状電極３及びこの針状電極３に対向して環状電極を形成するラッパ状体４からなる電極部を有し、さらに、ラッパ状体４の底部開口に円筒状体５、絶縁筒６を接続し、絶縁筒６の開口部に二酸化チタン蒸着棒７を取り付けている。ラッパ状体４、円筒状体５、絶縁筒６は風洞部を形成し、その外側及び内側の表面に、また、針状電極３の全面に二酸化チタン金属を蒸着している。図２（Ａ）は針状電極３又は二酸化チタン蒸着棒７から風洞部の軸方向に見た図であり、図２（Ｂ）は上から見た図である。
【００１１】
環状電極は、上記のようにラッパ状体４の全体とするほか、円筒状体５も含めて一体にして形成してもよいし、ラッパ状体４の一部或いはその内側表面に所定の幅で形成してもよい。その場合、中間部でなくラッパ状体４の底部や逆に先端部に形成してもよい。そして、高電圧を発生し電極部に高電圧を印加する高電圧印加装置を備え（図示省略）、負極を針状電極３に、正極をラッパ状体４の環状電極に接続している。例えば電池などを電源としてコンバータにより９万ボルトの高電圧を発生する高電圧印加装置から針状電極３と環状電極との間に高電圧を印加することにより、コロナ放電を発生させて針状電極３から風洞部を抜けるイオン・オゾン風を発生させる。
【００１２】
上記のように風洞部として円筒状体５の一方の開口にラッパ状体４を接続すると、ラッパ状体４の先端側から空気を吸い込み円筒状体５の他端開口から空気を吐き出すような自然気流を発生しやすくさせる。このことは風洞実験から実証されている。したがって、そのラッパ状体４に形成した環状電極と前方軸上の針状電極３との間に先に延べたように高電圧印加装置から高電圧を印加すると、針状電極３と環状電極との間でコロナ放電が発生して、マイナスイオンとオゾンが発生し、その微風が針状電極３から環状電極の方向に生じ、風洞部でこれをより強く増幅する作用がある。
【００１３】
オゾンには、殺菌、脱臭、消煙効果などがある。殺菌は、オゾンの持つ強力な酸化作用によって引き起こされる科学的メカニズムに起因する。そのため、塩素やその他の殺菌方法に比べ、オゾンによる殺菌速度の方がはるかにはやく、その効果は塩素殺菌の数十倍もあり、バクテリアに対しては、塩素の数百〜数千倍の殺菌力があるといわれている。また、臭い煙は、粒子状態で空気中に漂っており、タバコの煙の主成分である一酸化炭素をオゾンは分解する機能を有している。特に臭い成分のひとつに硫化水素があるが、オゾンはこれらを完全に分解するので、悪臭を取り除くことができる。さらに、オゾンは、タバコの煙に含まれるニコチンやタールの色の成分を分解する消煙・漂白作用を有している。
【００１４】
マイナスイオンは、自然界において、空気中で微細水滴が分裂するとき、水滴がプラスに帯電し、周囲の空気がマイナスに帯電する空気のイオン化現象（レナード現象）によって、滝や急流河川などの渓谷、山間部に多く発生し、逆に都会や生活空間の汚れた空気の中には少なく、プラスイオンが多くなる。マイナスイオンは、血液の浄化作用や細胞の賦活作用、抵抗力の増加、自律神経の調整作用があり、鎮静、催眠、制汗、食欲増進、血圧降下、爽快感、疲労防止・回復などの作用のあることはよく知られていることである。
【００１５】
二酸化チタンや酸化亜鉛自体は触媒であり、変化しないため性能は半永久的に維持されるという特長がある。この触媒である二酸化チタン（粒径７〜１０ナノメートル）に、紫外線が当たると、その表面には電子と正孔が発生し、電子は空気中の酸素を還元してスーパーオキサイドイオンをつくり、正孔は水分を酸化して水酸基ラジカルをつくる。スーパーオキサイドと水酸基ラジカルは総称して活性酸素と呼ばれ、強力な酸化分解作用をもつ。この力で、光触媒表面に付着した細菌類を殺し、臭いを消す、つまり、強力な酸化剤となり、酸化効果で臭気分子、細菌などを分解する。このような光触媒効果は、二酸化チタン蒸着プレート２において室内の紫外線が照射されることにより発揮し、二酸化チタン蒸着プレート８において電極部のコロナ放電に基づき紫外線により発揮する。
【００１６】
汚染物質である有機化合物、生物粒子、浮遊粒子状物質の黒く炭化した残留物（スラッジ）が電極に付着すると、イオン、オゾンの発生効率が悪くなる。ラッパ状体４と円筒状体５からなる風洞部の表面に二酸化チタン金属を蒸着すると、光触媒効果のほかに風洞部に室内の空気中の汚染物質や微細なチリ、ホコリが付着するのを防ぐ効果がある。
【００１７】
また、吸気部１５及び排気部１４には、例えばステンレスメッシュなどが取り付けられるが、これは、針状電極３と環状電極２との間を短絡するような大きなゴミがハウジング１０の中に侵入するのを防止するためのものである。さらに、ハウジング１は、内壁面にアモルファス金属塗布面を有する。このアモルファス金属塗布面は、銅Ｃｕ、ニッケルＮｉ、リンＰのアモルファス金属と酸化アルミのセラミックパウダーを塗布して形成したものである。
【００１８】
次に、本発明に係る空気清浄化装置による空気清浄化作用について説明する。高電圧印加装置により針状電極３とラッパ状体４の環状電極との間に高電圧を印加すると、コロナ放電によりマイナスイオンとオゾンの微風が発生すると共に紫外線が発生する。そのうちマイナスイオンとオゾンの微風は、風洞部のラッパ状体４から円筒状体５の方向に増幅される。さらに、紫外線は、二酸化チタン蒸着プレート８の二酸化チタンとの光触媒作用、ハウジング１の内壁に設けた酸化アルミ、アモルファス金属塗布面の銅Ｃｕ、ニッケルＮｉ、リンＰ、酸化アルミとの融合反応を引き起し、オゾン（Ｏ3 ）を初期の活性酸素（Ｏ2 ）に変化させる。このような二酸化チタン蒸着プレート２、８による二酸化チタンの光触媒、さらには酸化亜鉛の酸化作用によりカビや細菌、メチシリン（ＭＲＳＡ）などを死滅させ、ホルムアルデヒドを変質させて脱臭、その他の有機物粒子を除去する。また、針状電極３、風洞部の内側及び外側の表面には、二酸化チタンが蒸着されているので、炭化した粒子などが付着することがない。したがって、高電圧の印加された電極部から付着物を取り除く従来の掃除も不要となる。
【００１９】
なお、ハウジング１の内部配置状態として、針状電極３、環状電極であるラッパ状体４、円筒状体５からなる空気清浄化装置本体を２組並列に配置した例を示したが、この組数は、そのときどきの必要とされる容量に応じて適宜増やしてもよいし、１組だけでもよいことはいうまでもない。また、複数組の空気清浄化装置本体を有する場合には、室内空気の汚染環境や時間帯（勤務時間帯、夜間、午前、午後、休日）などの状況に応じて作動する組数を制御してもよいし、そのために、複数組の空気清浄化装置本体の起動、停止がプログラム制御できるようにタイマやカレンダーを用いた制御手段を設けてもよい。二酸化チタン蒸着プレート８は、ハウジング１の底面部、つまり空気清浄化装置本体の下方に配置したが、空気清浄化装置本体の上方に配置してもよいし、側方に配置してもよい。
【００２０】
図４は本発明に係る空気清浄化装置本体を空調ダクトに適用した実施の形態を示す図であり、２１、２６は酸化チタン蒸着プレート、２２は針状電極、２３はラッパ状体、２４は円筒状体、２５は絶縁筒・二酸化チタン蒸着棒、２７は空調ダクト取り付け壁、２８は空気取り込み口、２９は空調ダクトを示す。
【００２１】
先に説明した実施の形態では、空気清浄化装置本体をハウジングの中に収納したが、図４に示すように空調ダクト２９の中に空気清浄化装置本体を収納する場合には、ハウジングが不要である。この場合には、空調ダクト２９の中に直接針状電極２２と、ラッパ状体２３、円筒状体２４、絶縁筒・二酸化チタン蒸着棒２５からなる風洞部とを取り付けると共に、その電極部近傍に酸化チタン蒸着プレート２６を取り付け、循環させる空気を取り込む空気取り込み口２８の近傍に酸化チタン蒸着プレート２１を取り付ける。さらに、空気清浄化装置本体の周囲のダクト壁面に酸化アルミ、アモルファス金属塗布面を設けるようにすることにより、図１に示した空気清浄化装置とほぼ同等の空気清浄化を行うことができる。なお、所定長さの空調ダクトをハウジングとしてこれに空気清浄化装置本体を収納し、空調ダクトのラインに挿入し連結できるように構成してもよい。
【００２２】
また、空気清浄化装置本体を配置する空調ダクトの中の位置は、集塵機がある場合には、その後方としてもよい。全く外来光の入らない位置で電極間のコロナ放電による紫外線だけでは、光触媒効果が弱い場合には、空気清浄化装置本体と酸化チタン蒸着プレートの近傍に紫外線ランプを設けると、光触媒効果をより高めることができる。自動販売機の内部の空気導入経路や、生鮮食料品のショウケースの中、厨房にも缶や生鮮食料品等の脱臭、除菌、殺菌、鮮度の維持を行う装置として、上記と同様に空気清浄化装置本体、酸化チタン蒸着プレート、紫外線ランプを組み合わせ配置することができる。
【００２３】
図５〜図７は本発明に係る空気清浄化装置のハウジングの形状例を示す図であり、３１、４７、５２は排気部、３２、４６、５１は吸気部、３３は動作表示部、３４は取り付け孔、４１は環状電極、４２は針状電極、４３は二酸化チタン蒸着棒、４４、４５は支持フレームを示す。
【００２４】
本発明に係る空気清浄化装置は、上記のように電極部を１組から複数組まで適宜増減させて構成することにより脱臭、除菌、殺菌などを行う必要量に対応させることができるが、電極部を１組乃至２組程度の小型にした場合のハウジングの例を示したのが図５である。図５に示すハウジングは、図５（Ａ）の正面図、図５（Ｂ）の側面図、図５（Ｅ）の排気部正面図に示すように正面から斜め上に排気するように排気部３１を設け、図５（Ｃ）の背面図に示すように背面から吸気するように吸気部３２を設けている。この場合には、図６に示すように支持フレーム４４、４５により環状電極４１、針状電極４２、二酸化チタン蒸着棒４３からなる電極部を斜め上に排気する排気部４７の方向に向けて斜めに配置する。したがって、図５（Ｄ）の底面図に示すようにハウジングの設置面積を電極部を平面配置した場合より小さくすることができ、設置スペースの効率を高めることができる。
【００２５】
上記小型のハウジングに対し、電極部を４組並べて配置する比較的大型のハウジングの例を示したのが図７である。このハウジングの場合には、図７（Ａ）の正面図、図７（Ｂ）の側面図に示すように正面下側から排気するように排気部５２を設け、上面から吸気するように吸気部５１を設ける。電極部は、吸気部５１及び排気部５２の仕切りに対応して正面から見て４列に横配列され、背面側に向かって上に傾斜するように取り付けてもよいし、水平に取り付けてもよい。図７（Ｃ）が背面図、図７（Ｄ）が底面図である。
【００２６】
本発明に係る空気清浄化装置による性能試験の結果は以下のとおりであった。まず、脱臭試験として、密閉できるプラスチックケースに空気清浄化装置をセットし、ゴムキャップよりメチルメルカプタンを注入し、ケース内の濃度を１００ｐｐｍに設定したときの１時間経過後の自然の減衰は１０％、９０ｐｐｍの濃度であったが、ケース内の濃度を１２０ｐｐｍに設定し高電圧を印加してコロナ放電させたとき、つまり空気清浄化装置を作動させたときの１時間経過後の減衰は８７％、１４ｐｐｍの濃度であった。
【００２７】
次に、抗菌力試験として、検体に大腸菌及びレジオネラ菌を滴下し、保存６時間後と２４時間後の試料の生菌数を測定した。大腸菌では、試料１個当たり７．６×１０5 の生菌数から２５°Ｃの環境で６時間後に８．３×１０4 、２４時間後に５．２××１０3 の生菌数になったのに対し、空気清浄化装置を作動させると、６時間後に５．５×１０4 、２４時間後に＜１０（検出せず）となった。また、レジオネラ菌では、６．６×１０5 の生菌数から６時間後に３．５×１０5 、２４時間後に３．１×１０5 の生菌数になったのに対し、空気清浄化装置を作動させると、６時間後に＜１００（検出せず）となった。ＭＲＳＡ、大腸菌（Ｏ１５７：Ｈ７）に対しても、同程度の結果が確認できた。
【００２８】
図８は悪臭物質（ホルムアルデヒド）の除去についての測定結果を示す図であり、条件は、５４Ｌの密閉反応容器に悪臭物質（ホルムアルデヒド）を入れ、空気清浄化装置の非作動、作動時における、その濃度変化をガスクロマトグラフィーにより測定した結果である。条件は、温度２５°Ｃ、湿度７０％、初期濃度２４．８ｐｐｍ、検出器ＴＣＤ（１００ｍＶ）、カラムＡＰＳ−２０１、ＩＮＪ温度１５０°Ｃ、ＣＯＬ温度１００°Ｃであり、測定結果は図８に示すようにホルムアルデヒド除去速度が５．６３ｍｇ／ｈであった。
【００２９】
図９は悪臭物質（アンモニア）の除去についての測定結果を示す図であり、条件は、温度２０°Ｃ、湿度６０％、初期濃度８７．０ｐｐｍ、アンモニア検出器ＮＨ−２７５（理研計器）であり、測定結果は図９に示すようにアンモニア除去速度が４０ｐｐｍ以上で４７．０ｍｇ／ｈ、４０ｐｐｍ以下で１３．３ｍｇ／ｈであった。
【００３０】
図１０、図１１は悪臭物質（アセトアルデヒド）の除去についての測定結果を示す図であり、条件は、５４Ｌの密閉反応容器に悪臭物質（アセトアルデヒド）を入れ、空気清浄化装置の非作動、作動時における、その濃度変化をガスクロマトグラフィーにより測定した結果である。条件は、温度２０°Ｃ、湿度６０％、初期濃度５０．０ｐｐｍ、検出器ＴＣＤ（１００ｍＶ）、カラムＡＰＳ−２０１、ＩＮＪ温度１５０°Ｃ、ＣＯＬ温度１００°Ｃであり、測定結果は酸化チタン光触媒のみの場合には、図１０に示すようにアセトアルデヒド除去速度が４．３６ｍｇ／ｈであり、電極部に高電圧を印加して空気清浄化装置を作動させた場合（チタニア・ウインドウ−ＯＮ時）には、図１１に示すようにアセトアルデヒド除去速度が１１．１ｍｇ／ｈであった。
【００３１】
また、本発明に係る空気清浄化装置に温度２０°Ｃ、湿度６０％で５０ｍｌ／ｓを通気すると、ヨウ素滴定法により測定した発生オゾン濃度は、１電極当たり０．００４４５ｐｐｍ／極となり、二酸化チタンの光触媒、さらには酸化亜鉛の酸化作用のない電極だけの場合に比べて大幅に低減することができた。消煙実験においても、１５５Ｌ密閉反応容器に煙草３本を入れて着火し、消化時を初期状態として、温度２１°Ｃ、湿度７２％、蛍光灯３０Ｗ×４の光量で観察すると、本発明に係る空気清浄化装置を作動させた場合と作動させない場合で顕著な消煙効果を目視により観察することができた。
【００３２】
なお、本発明は、上記実施の形態に限定されるものではなく、種々の変形が可能である。例えば上記実施の形態では、二酸化チタン金属を蒸着することによりその光触媒を利用したが、、二酸化チタンと酸化亜鉛金属、あるいは酸化亜鉛金属を蒸着したものでもよい。また、複数の空気清浄化装置本体を並列に配置したが、直列に、つまり、多段に空気清浄化装置本体を連結すると、イオン・オゾン風を増幅することができる。さらに、空気清浄化装置本体の針状電極及び環状電極をそれぞれ複数の組み合わせで構成したが、風洞部の軸上にかつ風洞部に近づけて１本の針状電極を配置すると共に、その周囲に軸上の針状電極より風洞部から離れて複数の針状電極を配置してもよい。針状電極の数は、上下、左右いずれかの２本、あるいは３本、軸上とその周囲からなる複数本とし、それらに切り換えて高電圧を印加するようにしてもよい。
【００３３】
【発明の効果】
以上の説明から明らかなように、本発明によれば、環状電極となるラッパ状体と円筒状体とを連結した風洞部の前方に針状電極を配置し高電圧を印加してコロナ放電させるので、マイナスイオンとオゾンを発生させると共に、モーターファンを使用しなくてもイオン・オゾンの微風を無騒音で発生させることができる。しかも、吸気部近傍に配置した二酸化チタン蒸着プレートの光触媒、コロナ放電により発生する光を利用し電極部近傍に配置した二酸化チタン蒸着プレートの光触媒とアモルファス金属及びマイナスイオンの効果で殺菌、除菌、脱臭、消煙を高効率で行うことができる。
【００３４】
また、複数の針状電極および環状電極を配置し、その使用数、つまり電圧を印加する電極を選択することにより、あるいは、ラッパ状体に形成する環状電極の位置を選択することにより、イオンとオゾン風の発生を調整、制御することができる。さらに、ハウジングは、内壁面に銅、ニッケル、リンのアモルファス金属と酸化アルミセラミックのパウダーを塗布し、内壁近傍に二酸化チタンを蒸着したプレートを配置し、前記風洞部の円筒状体側に二酸化チタンを蒸着した二酸化チタン蒸着棒を配置するので、二酸化チタンと酸化亜鉛の光触媒により脱臭、殺菌、除菌、防カビの効果を高め、発生したオゾンを初期の活性酸素に変化させてオゾン障害を軽減することができる。
【００３５】
さらに、電極部の表面に二酸化チタンを蒸着することにより、有機物粒子、浮遊粒子状物質、カビ、微生物、細菌類、内部に付着する黒色の粒子などを炭化させ付着しないようにすることができ、高電圧が印加される電極部の付着物質の掃除が不要になりメンテナンスフリーにすることができる。さらに、モーターファンを省くことができるので、小型、軽量のものをつくることができ、壁面や天井面に簡便に取り付けることができ、壁掛けタイプやテーブルや棚置きタイプとすることもできる。
【００３６】
本発明に係る空気清浄化装置は、放電電極と酸化チタンなどの蒸着膜とを組み合わせることにより、コロナ放電させマイナスイオンとオゾンを発生させてその微風を増幅すると共に、その紫外線と二酸化チタンなどの光触媒により脱臭、殺菌、除菌、防カビ等を実現するので、ランプ光や外来光がなくなる暗闇の夜間は勿論、ランプ光や外来光のない空間でも配置し利用することができる。したがって、通常の住居室、事務室、病院、工場、施設、クリーンルーム、厨房などに配置し、また、空調ダクトな中、ショウケースの中、自動販売機の中、車内などに配置して、広汎な環境における脱臭、殺菌、除菌、抗菌、防カビ、製品の品質維持等に利用することができる。
【図面の簡単な説明】
【図１】  本発明に係る空気清浄化装置の実施の形態を示す図である。
【図２】  空気清浄化装置本体の電極部を示す図である。
【図３】  空気清浄化装置を排気部側から見た外観図である。
【図４】  本発明に係る空気清浄化装置本体を空調ダクトに適用した実施の形態を示す図である。
【図５】  本発明に係る空気清浄化装置のハウジングの形状例を示す図である。
【図６】  本発明に係る空気清浄化装置のハウジングの形状例を示す図である。
【図７】  本発明に係る空気清浄化装置のハウジングの形状例を示す図である。
【図８】  悪臭物質（ホルムアルデヒド）の除去についての測定結果を示す図である。
【図９】  悪臭物質（アンモニア）の除去についての測定結果を示す図である。
【図１０】  悪臭物質（アセトアルデヒド）の除去についての測定結果を示す図である。
【図１１】  悪臭物質（アセトアルデヒド）の除去についての測定結果を示す図である。
【符号の説明】
１…ハウジング、２、８…二酸化チタン蒸着プレート、３…針状電極、４…ラッパ状体、５…円筒状体、６…絶縁筒、７…二酸化チタン蒸着棒、１１…取り付けベース、１２、１３…支持部材、１４…排気部、１５、１６…吸気部
【図１】
0003717033.tif 000002
【図２】
0003717033.tif 000003
【図３】
0003717033.tif 000004
【図４】
0003717033.tif 000005
【図５】
0003717033.tif 000006
【図６】
0003717033.tif 000007
【図７】
0003717033.tif 000008
【図８】
0003717033.tif 000009
【図９】
0003717033.tif 000010
【図１０】
0003717033.tif 000011
【図１１】
0003717033.tif 000012